(57)【要約】【課題】  楽曲を奏でる商品の販売システムにおいて、商品の購入者等が自由に楽曲の内容を設定できるようにする。【解決手段】  まず、携帯端末装置10を用い、楽曲の構成を決定する情報（Ｄ１,Ｄ２,Ｗ）を楽曲登録装置20に送り、楽曲登録装置20に楽曲の構成情報を登録する。楽曲登録装置20は、登録した構成情報に対応する識別情報（ＥＩＤ）のバーコード情報（Ｂ）を返し、携帯端末装置10は、このバーコード情報（Ｂ）を記憶する。そして、商品の購入時、利用者は、携帯端末装置10に記憶されているバーコード情報（Ｂ）を商品販売装置40に読み込ませ、商品販売装置40は、このバーコード情報で示される識別情報（ＥＩＤ）に対応する楽曲の構成情報（ＳＩＤ,ＭＩＤ,Ｗ）を楽曲登録装置20から取得する。商品販売装置40は、これを用いて楽曲を生成し、生成した楽曲を記録媒体に記録し、さらにこの記録媒体をぬいぐるみ等の商品に埋め込んで排出する。【選択図】        図１
2005326929.tif 000002
【特許請求の範囲】
【請求項１】
楽曲の登録処理を行う楽曲登録装置と、当該楽曲登録装置とネットワークを通じて接続された商品販売装置と、を有する商品販売システムであって、
前記楽曲登録装置は、
ネットワークを通じ、楽曲構成決定情報を受信する決定情報受信手段と、
前記楽曲構成決定情報を用い、楽曲の構成要素を示す構成情報を特定する構成情報特定手段と、
識別情報を生成する識別情報生成手段と、
特定された前記構成情報と前記識別情報とを対応付けて格納する構成情報記憶手段と、
ネットワークを通じ、前記識別情報を特定する情報を携帯端末装置に対して送信する第１の識別情報送信手段と、を有し、
前記商品販売装置は、
携帯端末装置から出力された、前記識別情報を特定する情報の入力を受け付ける識別情報入力手段と、
ネットワークを通じ、前記識別情報を前記楽曲登録装置に送信する第２の識別情報送信手段と、を有し、
前記楽曲登録装置は、
前記識別情報を受信する識別情報受信手段と、
前記識別情報に対応する構成情報を前記構成情報記憶手段から抽出する構成情報抽出手段と、
抽出された前記構成情報を、ネットワークを通じ、前記商品販売装置に送信する構成情報送信手段と、をさらに有し、
前記商品販売装置は、
前記構成情報を受信する構成情報受信手段と、
前記構成情報を用い、楽曲を生成する楽曲生成手段と、
生成された楽曲を楽曲記録媒体に格納する楽曲書き込み手段と、をさらに有する、
ことを特徴とする商品販売システム。
【請求項２】
楽曲の登録処理を行う楽曲登録装置であって、
ネットワークを通じ、楽曲構成決定情報を受信する決定情報受信手段と、
前記楽曲構成決定情報を用い、楽曲の構成要素を示す構成情報を特定する構成情報特定手段と、
識別情報を生成する識別情報生成手段と、
特定された前記構成情報と前記識別情報とを対応付けて格納する構成情報記憶手段と、
ネットワークを通じ、前記識別情報を特定する情報を、携帯端末装置に対して送信する識別情報送信手段と、
ネットワークを通じて商品販売装置から送信された前記識別情報を受信する識別情報受信手段と、
前記識別情報に対応する構成情報を前記構成情報記憶手段から抽出する構成情報抽出手段と、
抽出された前記構成情報を、ネットワークを通じ、前記商品販売装置に送信する構成情報送信手段と、
を有することを特徴とする楽曲登録装置。
【請求項３】
請求項２記載の楽曲登録装置であって、
前記識別情報に対応するバーコード情報を生成するバーコード生成手段をさらに有し、
前記識別情報送信手段は、
前記バーコード情報を、前記識別情報を特定する情報として送信する手段である、
ことを特徴とする楽曲登録装置。
【請求項４】
商品の販売を行う商品販売装置であって、
携帯端末装置から出力された、識別情報を特定する情報の入力を受け付ける識別情報入力手段と、
ネットワークを通じ、前記識別情報を楽曲登録装置に送信する識別情報送信手段と、
前記楽曲登録装置からネットワークを通じて送信された、楽曲の構成要素を示す構成情報を受信する構成情報受信手段と、
前記構成情報を用い、楽曲を生成する楽曲生成手段と、
生成された楽曲を楽曲記録媒体に格納する楽曲書き込み手段と、
を有することを特徴とする商品販売装置。
【請求項５】
請求項４記載の商品販売装置であって、
前記識別情報を特定する情報は、
バーコード情報であり、
前記識別情報入力手段は、
前記バーコード情報を読み取る手段である、
ことを特徴とする商品販売装置。
【請求項６】
楽曲の登録処理を行う楽曲登録装置と、商品の販売を行う商品販売装置と、を有する商品販売システムであって、
前記楽曲登録装置は、
ネットワークを通じ、楽曲構成決定情報を受信する決定情報受信手段と、
前記楽曲構成決定情報を用い、楽曲の構成要素を示す構成情報を特定する構成情報特定手段と、
ネットワークを通じ、前記構成情報を特定する情報を携帯端末装置に対して送信する構成情報送信手段と、を有し、
前記商品販売装置は、
前記携帯端末装置から出力された、前記構成情報を特定する情報の入力を受け付ける構成情報入力手段と、
前記構成情報を用い、楽曲を生成する楽曲生成手段と、
生成された楽曲を楽曲記録媒体に格納する楽曲書き込み手段と、を有する、
ことを特徴とする商品販売システム。
【請求項７】
楽曲の登録処理を行う楽曲登録装置であって、
ネットワークを通じ、楽曲構成決定情報を受信する決定情報受信手段と、
前記楽曲構成決定情報を用い、楽曲の構成要素を示す構成情報を特定する構成情報特定手段と、
ネットワークを通じ、前記構成情報を特定する情報を携帯端末装置に対して送信する構成情報送信手段と、
を有することを特徴とする楽曲登録装置。
【請求項８】
請求項７記載の楽曲登録装置であって、
前記構成情報に対応するバーコード情報を生成するバーコード生成手段をさらに有し、
前記構成情報送信手段は、
前記バーコード情報を、前記構成情報を特定する情報として送信する手段である、
ことを特徴とする楽曲登録装置。
【請求項９】
商品の販売を行う商品販売装置であって、
携帯端末装置から出力された、構成情報（楽曲の構成要素を示す情報）を特定する情報の入力を受け付ける構成情報入力手段と、
前記構成情報を用い、楽曲を生成する楽曲生成手段と、
生成された楽曲を楽曲記録媒体に格納する楽曲書き込み手段と、
を有することを特徴とする商品販売装置。
【請求項１０】
請求項９記載の商品販売装置であって、
前記構成情報を特定する情報は、
バーコード情報であり、
前記構成情報入力手段は、
前記バーコード情報を読み取る手段である、
ことを特徴とする商品販売装置。
【請求項１１】
請求項４、請求項５、請求項９或いは請求項１０の何れかに記載の商品販売装置であって、
さらに、前記楽曲記録媒体を商品に組み込んで排出する媒体排出手段を有する、
ことを特徴とする商品販売装置。
【請求項１２】
楽曲登録装置における、
決定情報受信手段において、ネットワークを通じ、楽曲構成決定情報を受信する手順と、
構成情報特定手段において、前記楽曲構成決定情報を用い、楽曲の構成要素を示す構成情報を特定する手順と、
識別情報生成手段において、識別情報を生成する手順と、
特定された前記構成情報と前記識別情報とを、構成情報記憶手段において、対応付けて格納する手順と、
第１の識別情報送信手段において、ネットワークを通じ、前記識別情報を特定する情報を携帯端末装置に対して送信する手順と、
商品販売装置における、
識別情報入力手段において、携帯端末装置から出力された、前記識別情報を特定する情報の入力を受け付ける手順と、
第２の識別情報送信手段において、ネットワークを通じ、前記識別情報を前記楽曲登録装置に送信する手順と、
前記楽曲登録装置における、
識別情報受信手段において、前記識別情報を受信する手順と、
構成情報抽出手段において、前記識別情報に対応する構成情報を前記構成情報記憶手段から抽出する手順と、
抽出された前記構成情報を、構成情報送信手段において、ネットワークを通じて前記商品販売装置に送信する手順と、
構成情報受信手段において、前記構成情報を受信する手順と、
楽曲生成手段において、前記構成情報を用い、楽曲を生成する手順と、
生成された楽曲を、楽曲書き込み手段において、楽曲記録媒体に格納する手順と、
を有することを特徴とする商品販売方法。
【請求項１３】
楽曲登録装置における、
決定情報受信手段において、ネットワークを通じ、楽曲構成決定情報を受信する手順と、
構成情報特定手段において、前記楽曲構成決定情報を用い、楽曲の構成要素を示す構成情報を特定する手順と、
構成情報送信手段において、ネットワークを通じ、前記構成情報を特定する情報を携帯端末装置に対して送信する手順と、
商品販売装置における、
構成情報入力手段において、前記携帯端末装置から出力された、前記構成情報を特定する情報の入力を受け付ける手順と、
楽曲生成手段において、前記構成情報を用い、楽曲を生成する手順と、
生成された楽曲を、楽曲書き込み手段において、楽曲記録媒体に格納する手順と、
を有することを特徴とする商品販売方法。
【請求項１４】
請求項２、請求項３、請求項７或いは請求項８の何れかに記載された楽曲登録装置としてコンピュータ機能させるためのプログラム。
【請求項１５】
請求項４、請求項５、請求項９或いは請求項１０の何れかに記載された商品販売装置としてコンピュータ機能させるためのプログラム。
【請求項１６】
請求項１４或いは１５記載のプログラムを記録したコンピュータ読み取り可能な記録媒体。
【発明の詳細な説明】
【技術分野】
【０００１】
本発明は、楽曲を奏でる商品の販売を行う商品販売システム、楽曲登録装置、商品販売装置、商品販売方法、その機能を実現するためのプログラム及びそのプログラムを記録した記録媒体に関する。
【背景技術】
【０００２】
自動販売機によって縫い包みや人形等の商品が販売される場合がある。そして、このような商品には、楽曲の内容をメモリに記憶し、内蔵する音源によってその楽曲を奏でるものもある。
【発明の開示】
【発明が解決しようとする課題】
【０００３】
しかし、従来の楽曲を奏でる商品の場合、その購入者等が自由に楽曲の内容を定めることができないという問題点がある。
例えば、縫い包み等のメモリに記憶される楽曲の内容は、その製造時に画一的に決定される場合が多く、この場合、購入者は楽曲の選択を行うことはできない。また、奏でる楽曲が異なる複数の縫い包み等が販売される場合もあるが、その場合であっても、購入者が選択できるのは、販売された縫い包み等の種類の範囲に限られる。また、商品の販売時にそのメモリに格納する楽曲をダウンロードする構成であっても、ダウンロードできる楽曲の範囲は、予め画一的に用意された楽曲に限られる。
【０００４】
本発明はこのような点に鑑みてなされたものであり、商品の購入者等が自由に楽曲の内容を定めることができる技術を提供することを目的とする。
【課題を解決するための手段】
【０００５】
上記課題を解決するために、第１の発明では、まず、利用者が携帯端末装置を用い、楽曲の構成を示す楽曲構成決定情報を入力する。この楽曲構成決定情報は、楽曲登録装置に送られ、楽曲登録装置は、ネットワークを通じ、この楽曲構成決定情報を受信する。
次に、楽曲登録装置において、楽曲構成決定情報を用いて、楽曲の構成要素を示す構成情報を特定し、その識別情報を生成する。その後、特定された構成情報と識別情報とを対応付けて格納し、この識別情報を特定する情報を、ネットワークを通じ、利用者の携帯端末装置に対して送信する。この識別情報を特定する情報は、この携帯端末装置において受信され、記憶される。
【０００６】
利用者が商品を購入する際、この利用者は、携帯端末装置から商品販売装置に、識別情報を特定する情報を出力する。携帯端末装置から出力された識別情報を特定する情報は、商品販売装置に入力され、この商品販売装置は、ネットワークを通じ、識別情報を楽曲登録装置に送信する。
楽曲登録装置は、この識別情報を受信し、識別情報に対応する構成情報を構成情報記憶手段から抽出し、抽出された構成情報を、ネットワークを通じ、商品販売装置に送信する。
【０００７】
商品販売装置は、この構成情報を受信し、この構成情報を用いて楽曲を生成し、生成された楽曲を楽曲記録媒体に格納する。
また、第２の発明では、まず、利用者が携帯端末装置を用い、楽曲の構成を示す楽曲構成決定情報を入力する。この楽曲構成決定情報は、楽曲登録装置に送られ、楽曲登録装置は、ネットワークを通じ、この楽曲構成決定情報を受信する。
次に、楽曲登録装置において、楽曲構成決定情報を用い、楽曲の構成要素を示す構成情報を特定し、ネットワークを通じ、この構成情報を特定する情報を利用者の携帯端末装置に対して送信する。
【０００８】
利用者が商品を購入する際、この利用者は、携帯端末装置から商品販売装置に、構成情報を特定する情報を出力する。携帯端末装置から出力された構成情報を特定する情報は商品販売装置に入力され、商品販売装置は、この構成情報を用いて楽曲を生成し、生成された楽曲を楽曲記録媒体に格納する。
以上において、楽曲記録媒体に格納された楽曲は、楽曲構成決定情報によって特定された構成情報に基づくものである。また、構成情報の組み合わせにより、さまざまな楽曲を構成できる。
【発明の効果】
【０００９】
このように、本発明では、楽曲構成決定情報によって特定された構成情報に基づき、さまざまな楽曲を構成できるため、商品の購入者等が自由に楽曲の内容を定めることができる。
また、本発明では、予め楽曲登録装置において楽曲構成決定情報の入力を受け付け、楽曲の構成情報を特定しておくこととしたため、商品販売装置に対する購入処理を簡略化できる。
【発明を実施するための最良の形態】
【００１０】
以下、この発明の実施の形態を図面を参照して説明する。
〔第１の実施の形態〕
まず、本発明における第１の実施の形態について説明する。
＜概要＞
本形態では、利用者が携帯端末装置を用いて楽曲の構成を選択し、その決定情報を楽曲登録装置に登録する。楽曲登録装置は、この選択された楽曲の構成情報に対応する識別情報を特定する情報（例えば、バーコード情報）を返し、携帯端末装置は、この識別情報を特定する情報を記憶する。そして、利用者が商品販売装置において商品を購入する際、この利用者は、携帯端末装置に記憶されている識別情報を特定する情報を商品販売装置に読み込ませ、商品販売装置は、この識別情報に対応する楽曲の構成情報を楽曲登録装置から取得し、それによって楽曲を生成する。生成された楽曲は記録媒体に記録され、商品に埋め込まれて排出される。
【００１１】
＜構成＞
まず、本形態における商品販売システムの構成を説明する。
図１の（ａ）は、本形態における商品販売システム１の全体構成を例示したブロック図である。この図に例示するように、本形態の商品販売システム１は、利用者が使用する携帯電話やＰＤＡ（Personal Digital Assistance）等の携帯端末装置１０、楽曲の登録処理を行う楽曲登録装置２０、及び当該楽曲登録装置２０とネットワーク６０を通じて接続された商品販売装置４０を有している。
【００１２】
図１の（ｂ）は、図１に例示した携帯端末装置１０の構成を例示したブロック図である。この図に例示するように、本形態の携帯端末装置１０は、通信部１１、読み書き部１２、表示部１３、入力部１４、メモリ１５及び制御部１６を有しており、制御部１６の制御のもと各処理を実行する。
図２は、図１に例示した楽曲登録装置２０の構成を例示したブロック図である。本形態の楽曲登録装置２０は、公知のコンピュータに所定のプログラムを実行させることにより構成され、歌手データ記憶部２１、旋律・伴奏データ記憶部２２、構成情報記憶部２３、通し番号記憶部２４、通信部２５（「決定情報受信手段」、「第１の識別情報送信手段」、「識別情報受信手段」及び「構成情報送信手段」に相当）、データ読み取り部２６、構成情報特定部２７、加算部２８（「識別情報生成手段」を構成）、暗号化ＩＤ生成部２９（「識別情報生成手段」を構成）、構成情報読み書き部３０（「構成情報抽出手段」に相当）、バーコード生成部３１及び制御部３２を有している。なお、これらの各構成は制御部３２の制御のもと各処理を実行する。
【００１３】
図３は、図１に例示した商品販売装置４０の構成を例示したブロック図である。本形態の商品販売装置４０は、公知のコンピュータに所定のプログラムを実行させることにより構成され、バーコード読み取り部４１（「識別情報入力手段」に相当）、暗号化ＩＤチェック部４２、通信部４３（「第２の識別情報送信手段」及び「構成情報受信手段」に相当）、楽曲生成部４４、歌手データ記憶部４５、旋律・伴奏データ記憶部４６、歌手データベース管理部４７、旋律・伴奏データベース管理部４８、完成楽曲蓄積部４９、楽曲書込み部５０、媒体排出部５１、楽曲出力部５２、表示部５３、入力部５４及び制御部５５を有している。ここで、楽曲生成部４４は、歌詞テキスト解析部４４ａ、素片選択部４４ｂ、音声合成信号処理部４４ｃ、伴奏選択部４４ｄ及び歌唱・伴奏重畳部４４ｅを有している。なお、これらの各構成は制御部５５の制御のもと各処理を実行する。
【００１４】
＜処理＞
次に、本形態における商品販売システム１の処理について説明する。
＜前処理＞
まず、前処理として、楽曲登録装置２０の歌手データ記憶部２１に、歌手データＩＤ（ＳＩＤ）と歌手データ（ＳＤ）を記憶させ、旋律・伴奏データ記憶部２２に、旋律・伴奏データＩＤ（ＭＩＤ）、旋律データ（ＭＤ）及び伴奏データ（ＡＤ）を記憶させる。同様に、商品販売装置４０の歌手データ記憶部４５に、歌手データＩＤ（ＳＩＤ）と歌手データ（ＳＤ）を記憶させ、旋律・伴奏データ記憶部４６に、旋律・伴奏データＩＤ（ＭＩＤ）、旋律データ（ＭＤ）及び伴奏データ（ＡＤ）を記憶させる。
【００１５】
ここで、歌手データＩＤ（ＳＩＤ）とは、各歌手を特定するための情報を意味し、例えば、歌手名やそれに対応する識別子等が該当する。歌手データ（ＳＤ）とは、各歌手の声質を特定する素片データを意味し、例えば、各歌手の音声サンプルから収集した音素波形等が該当する。なお、歌手データＩＤ（ＳＩＤ）と歌手データ（ＳＤ）は、相互に対応付けられて記憶され、特定の歌手の歌手データＩＤ（ＳＩＤ）を指定することにより、その歌手の歌手データ（ＳＤ）を抽出できる構成となっている。
【００１６】
また、旋律データ（ＭＤ）及び伴奏データ（ＡＤ）は、音符情報、ＭＩＤＩ情報等からなる情報であり、旋律・伴奏データＩＤ（ＭＩＤ）とは、各旋律データ（ＭＤ）及び伴奏データ（ＡＤ）に対応する名称や識別子である。なお、旋律・伴奏データＩＤ（ＭＩＤ）と旋律データ（ＭＤ）及び伴奏データ（ＡＤ）は、相互に対応付けられて記憶され、特定の旋律・伴奏データＩＤ（ＭＩＤ）を指定することにより、それに対応する旋律データ（ＭＤ）及び伴奏データ（ＡＤ）を抽出できる構成となっている。
さらに、楽曲登録装置２０の通し番号記憶部２４にＮ（例えば初期値０）を記憶させる。
【００１７】
＜楽曲登録処理＞
次に、利用者が携帯端末装置１０を用い、楽曲登録装置２０に楽曲を登録する楽曲登録処理について説明する。
図４は、この携帯端末装置１０と楽曲登録装置２０との間で行われる楽曲登録処理を説明するためのフローチャートである。以下、このフローチャートに沿って、本形態の楽曲登録処理について説明する。
【００１８】
まず、利用者は、携帯端末装置１０の入力部１４から、楽曲登録処理の開始を希望する旨の請求（楽曲登録処理請求）を入力する。この楽曲登録処理請求は、通信部１１に送られ、通信部１１において、ネットワーク６０を通じ、この楽曲登録処理請求を楽曲登録装置２０に送信される（ステップＳ１）。
楽曲登録装置２０は、通信部２５においてこの楽曲登録処理請求を受信する。そして、楽曲登録装置２０は、これをトリガとして、データ読み取り部２６において、歌手データ記憶部２１及び旋律伴奏データ記憶部２２から歌手データＩＤ（ＳＩＤ）及び旋律・伴奏データＩＤ（ＭＩＤ）を抽出し、これらを用いて歌手・旋律・伴奏リスト（ＬＩＳＴ）を生成する。生成された歌手・旋律・伴奏リスト（ＬＩＳＴ）は、構成情報特定部２７及び通信部２５に送られ、通信部２５は、送られた歌手・旋律・伴奏リスト（ＬＩＳＴ）を、ネットワーク６０を通じ、携帯端末装置１０に送信する（ステップＳ２）。
【００１９】
携帯端末装置１０は、通信部１１において、この歌手・旋律・伴奏リスト（ＬＩＳＴ）を受信し（ステップＳ３）、それを表示部１３に送り、表示部１３においてその内容を表示する。利用者は、表示された歌手・旋律・伴奏リスト（ＬＩＳＴ）から、好みの歌手、旋律、伴奏を適宜組み合わせて選択し、選択した歌手の歌手データＩＤ（ＳＩＤ）を特定する情報（Ｄ１）、及び選択した旋律・伴奏の旋律・伴奏データＩＤ（ＭＩＤ）を特定するための情報（Ｄ２）を入力部１４から入力する。さらに、利用者は、楽曲の歌詞やメッセージのテキスト情報（Ｗ）を入力する（ステップＳ４：詳細は後述）。このように入力された各情報（Ｄ１、Ｄ２、Ｗ）は、楽曲構成決定情報（Ｄ１、Ｄ２、Ｗ）として通信部１１に送られ、そこからネットワーク６０を通じ、楽曲登録装置２０に送信される（ステップＳ５）。
【００２０】
ネットワーク６０を通じて送信された楽曲構成決定情報（Ｄ１、Ｄ２、Ｗ）は、楽曲登録装置２０の通信部２５（「決定情報受信手段」に相当）において受信され（ステップＳ６）、構成情報特定部２７に送られる。
構成情報特定部２７は、受け取った楽曲構成決定情報（Ｄ１、Ｄ２、Ｗ）を用い、楽曲の構成要素を示す構成情報（ＳＩＤ、ＭＩＤ、Ｗ）を特定する（ステップＳ７）。すなわち、構成情報特定部２７は、受け取ったＤ１及びＤ２と、ステップＳ２においてデータ読み取り部２６から送られた歌手・旋律・伴奏リスト（ＬＩＳＴ）とを用い、受け取ったＤ１及びＤ２に対応する歌手データＩＤ（ＳＩＤ）や旋律・伴奏データＩＤ（ＭＩＤ）を特定する。そして、構成情報特定部２７は、特定した歌手データＩＤ（ＳＩＤ）と旋律・伴奏データＩＤ（ＭＩＤ）及び受け取ったテキスト情報（Ｗ）をパッキングしたデータ列を構成情報（ＳＩＤ、ＭＩＤ、Ｗ）とし、構成情報読み書き部３０に送る。
【００２１】
これをトリガとして、加算部２８（「識別情報生成手段」を構成）において、通し番号記憶部２４から通し番号Nを抽出し、このNに１を加算した値を新たなNとして通し番号記憶部２４に記憶する（N←N＋１の演算を行う。）。また、この新たなNは暗号化ID生成部２９（「識別情報生成手段」を構成）に送られ、暗号化ID生成部２９は、このNに所定のチェックサムを追加し、さらに所定暗号アルゴリズムと暗号化鍵を用いて暗号化した暗号化ID（EID：「識別情報」に相当）を生成する（ステップＳ８）。なお、この暗号アルゴリズム及びその復号鍵は商品販売装置４０の暗号化ＩＤチェック部４２に格納されている。
【００２２】
暗号化ID生成部２９において生成された暗号化ID（EID）は、構成情報読み書き部３０及びバーコード生成部３１に送られ、構成情報読み書き部３０は、この暗号化ID（EID「識別情報」に相当）と、構成情報特定部２７において特定された構成情報（ＳＩＤ、ＭＩＤ、Ｗ）とを対応付け、構成情報記憶部２３に格納する（ステップＳ９）。
一方、バーコード生成部３１は、送られた暗号化ID（EID）に対応するバーコード情報（Ｂ：「識別情報を特定する情報」に相当）を生成する（ステップＳ１０）。生成されたバーコード情報（Ｂ）は通信部２５（「第１の識別情報送信手段」に相当）に送られ、通信部２５は、ネットワーク６０を通じ、このバーコード情報（Ｂ）を携帯端末装置１０に対して送信する（ステップＳ１１）。送信されたバーコード情報（Ｂ）は、携帯端末装置１０の通信部１１において受信され（ステップＳ１２）、さらに読み書き部１２に送られてメモリ１５に格納される（ステップＳ１３）。
その後、入力部１４からリトライ入力がされたか否かを制御部１６において判断し、ここでリトライ入力があった場合には、ステップＳ４の処理に戻る。一方、リトライ入力がなかった場合には処理を終了する。
【００２３】
＜ステップＳ４の処理（楽曲構成決定情報入力処理）＞
次に、ステップＳ４の処理の詳細を説明する。
図５の（ａ）は、このステップＳ４の第１の例を説明するためのフローチャートである。
この例の場合、まず、表示部１３において通信部１１から歌手・旋律・伴奏リスト（ＬＩＳＴ）を受け取り、これを含むトップメニューを表示する（ステップＳ２１）。次に、入力部１４において、Ｄ１の入力（歌手選択入力）を受け付け（ステップＳ２２）、その入力後、Ｄ２の入力（旋律・伴奏入力）を受け付け（ステップＳ２３）、その入力後、Ｗの入力（歌詞入力）を受け付ける（ステップＳ２４）。
【００２４】
図５の（ｂ）は、ステップＳ４の第２の例を説明するためのフローチャートである。
この例の場合、まず、表示部１３において通信部１１から歌手・旋律・伴奏リスト（ＬＩＳＴ）を受け取り、これを含むトップメニューを表示する（ステップＳ３１）。次に、入力部１４において、入力項目（「歌手」、「旋律・伴奏」或いは「歌詞」）の入力を受け付ける（ステップＳ３２）。ここで、「歌手」の項目が選択された場合には、入力部１４においてＤ１の入力を受け付け（ステップＳ３４）、「旋律・伴奏」の項目が選択された場合には、入力部１４においてＤ２の入力を受け付け（ステップＳ３５）、「歌詞」の項目が選択された場合には、入力部１４においてＷの入力を受け付ける（ステップＳ３６）。その後、制御部１６において、楽曲構成決定情報（Ｄ１、Ｄ２、Ｗ）の全ての項目の入力が終了したか否かを判断し（ステップＳ３７）、ここで全ての項目の入力が終了していないと判断された場合にはステップＳ３２に戻り、全ての項目の入力が終了したと判断された場合には処理を終了する。
【００２５】
＜商品販売処理＞
次に、利用者に商品を販売する際の商品販売処理について説明する。
図６及び図７は、この商品販売処理を説明するためのフローチャートである。以下、このフローチャートに従い、本形態の商品販売処理を説明していく。
まず、利用者は、前述の携帯端末装置１０を携帯し、商品販売装置４０の設置場所まで出向く。そして、この携帯端末装置１０の入力部１４に、バーコード表示を指示する入力を行う。この入力をトリガとして、携帯端末装置１０の読み書き部１２は、メモリ１５からバーコード情報（Ｂ）を抽出し（ステップＳ４１）、これを表示部１３に送る。表示部１３は、このバーコード情報（Ｂ）によって特定されるバーコードを表示し、これによりバーコード情報（Ｂ）の出力を行う（ステップＳ４２）。
【００２６】
携帯端末装置１０の表示部１３に表示されたバーコードは、商品販売装置４０のバーコード読み取り部４１（「識別情報入力手段」に相当）において読み込まれ、そのバーコード情報（Ｂ）が読み取られる（ステップＳ４３）。すなわち、バーコード読み取り部４１において、携帯端末装置１０から出力された識別情報を特定する情報の入力が受け付けられる。
入力されたバーコード情報（Ｂ）は、バーコード読み取り部４１において暗号化ＩＤ（ＥＩＤ：「識別情報」に相当）に変換され、暗号化ＩＤチェック部４２に送られる。暗号化ＩＤチェック部４２は、この暗号化ＩＤ（ＥＩＤ）を復号し、そのチェックサムにより、その正当性を判断する（ステップＳ４４）。ここで、暗号化ＩＤが正当でないと判断された場合にはエラー終了する。一方、正当であると判断された場合には、復号前の暗号化ＩＤ（ＥＩＤ：「識別情報」に相当）を通信部４３（「第２の識別情報送信手段」」に相当）に送り（ステップＳ４５）、そこからこの暗号化ＩＤ（ＥＩＤ：「識別情報」に相当）を、ネットワーク６０を通じ、楽曲登録装置２０に送信する（ステップＳ４６）。
【００２７】
送信された暗号化ＩＤ（ＥＩＤ：「識別情報」に相当）は、楽曲登録装置２０の通信部２５（「識別情報受信手段」に相当）において受信され（ステップＳ４７）、構成情報読み書き部３０に送られる。構成情報読み書き部３０（「構成情報抽出手段」に相当）は、受け取った暗号化ＩＤ（ＥＩＤ：「識別情報」に相当）に対応する構成情報（ＳＩＤ、ＭＩＤ、Ｗ）を構成情報記憶部２３から抽出し（ステップＳ４８）、通信部２５に送る。通信部２５（「構成情報送信手段」に相当）は、構成情報読み書き部３０において抽出された構成情報（ＳＩＤ、ＭＩＤ、Ｗ）を、ネットワーク６０を通じ、商品販売装置４０に送信する（ステップＳ４９）。
【００２８】
送信された構成情報（ＳＩＤ、ＭＩＤ、Ｗ）は、商品販売装置４０の通信部４３（「構成情報受信手段」に相当）において受信される（ステップＳ５０）。この構成情報（ＳＩＤ、ＭＩＤ、Ｗ）は、通信部４３においてアンパックされ、これらのアンパックされた構成情報が楽曲生成部４４に送られる。楽曲生成部４４は、送られた構成情報を用い、楽曲（ＭＶ）を生成する（ステップＳ５１）。なお、この楽曲生成の詳細については後述する。
生成された楽曲（ＭＶ）は完成楽曲蓄積部４９に格納され、次に制御部５５は、表示部５３に、例えば「生成した楽曲を確認しますか」と表示させ、入力部５４からの入力を受け付ける。
【００２９】
ここで、入力部５４において、楽曲を確認しない旨の入力がされた場合には、楽曲書込み部５０において、完成楽曲蓄積部４９から当該生成された楽曲（ＭＶ）を抽出し、これをＩＣ（Integrated Circuit）メモリ等の楽曲記録媒体に格納する（ステップＳ５３）。この楽曲が格納された楽曲記録媒体は媒体排出部５１に送られ、媒体排出部５１は、この楽曲記録媒体をぬいぐるみ等の商品に組み込み（ステップＳ５４）、当該楽曲入り商品を排出する（ステップＳ５５）。
【００３０】
一方、入力部５４において、楽曲を確認する旨の入力がされた場合には、楽曲出力部５０において、完成楽曲蓄積部４９から前述の生成された楽曲（ＭＶ）を抽出し、この楽曲（ＭＶ）を出力（演奏等）する（ステップＳ５６）。利用者は、出力された楽曲（ＭＶ）を試聴等し、楽曲（ＭＶ）の構成情報を変更するか否かを判断し、構成情報を変更するか否かを示す構成情報確認情報の入力を入力部５４に行う（ステップＳ５７）。ここで、入力部５４において入力された構成情報確認情報が、構成情報を変更する旨の情報であった場合（ステップＳ５８）、次に入力部５４において構成情報変更入力を受け付け（ステップＳ５９）、ステップＳ５１の処理に戻る。なお、構成情報変更入力の詳細については後述する。一方、入力部５４において入力された構成情報確認情報が、構成情報を変更しない旨の情報であった場合（ステップＳ５８）、前述のステップＳ５３〜Ｓ５５の処理を実行して処理を終了する。
【００３１】
＜ステップＳ５１の処理（楽曲生成処理）＞
次に、ステップＳ５１の処理を説明する。
図８は、本形態におけるステップＳ５１の処理を説明するためのフローチャートである。以下、この図に沿って、本形態の楽曲生成処理について説明していく。
まず、歌詞テキスト解析部４４ａにおいて、通信部４３からテキスト情報（Ｗ）を取得する。歌詞テキスト解析部４４ａは、取得したテキスト情報（Ｗ）のテキスト解析（読み、アクセント、ポーズ等の解析）を行い、このテキスト情報（Ｗ）を音韻系列（Ｗ’）に変換する（ステップＳ６１）。
【００３２】
この音韻系列（Ｗ’）は、素片選択部４４ｂに送られ、素片選択部４４ｂは、通信部４３から歌手データＩＤ（ＳＩＤ）及び旋律・伴奏データＩＤ（ＭＩＤ）を取得する。そして、素片選択部４４ｂは、送られた解析結果（Ｗ’）に最も適し、なおかつ取得した歌手データＩＤ（ＳＩＤ）に対応する歌手データ（素片（ＳＤ’））を、歌手データ記憶部４５から選択・抽出する。さらに、素片選択部４４ｂは、取得した旋律・伴奏データＩＤ（ＭＩＤ）に対応する旋律データ（ＭＤ）を旋律・伴奏データ記憶部４６から抽出し、抽出した旋律データ（ＭＤ）を韻律制御パラメータ（ピッチ周波数、継続時間長、強さ）に変換する。そして、素片選択部４４ｂは、この韻律制御パラメータに従って各素片（ＳＤ’）を変形し（素片（ＳＤ’’））、歌詞の音韻に対応する音程、長さ、強さを与える（ステップＳ６２）。
【００３３】
素片選択部４４ｂにおいて選択・生成された各素片（ＳＤ’’）は音声合成信号処理部４４ｃに送られ、音声合成信号処理部４４ｃは、これらの各素片（ＳＤ’’）を接続して音声（Ｖ）を合成し（ステップＳ６３）、その音声（Ｖ）を歌唱・伴奏重畳部４４ｅに送る。なお、このテキスト音声合成方式には、従来知られているどのようなものを使ってもよく、例えば特開平７−１４６６９５に示されている方式を使用してもよい。
次に、伴奏選択部４４ｄにおいて、通信部４３から旋律・伴奏データＩＤ（ＭＩＤ）を取得し、取得した旋律・伴奏データＩＤ（ＭＩＤ）に対応する伴奏データ（ＡＤ）を旋律・伴奏データ記憶部４６から選択して抽出する（ステップＳ６４）。
【００３４】
伴奏選択部４４ｄにおいて抽出された伴奏データ（ＡＤ）は、歌唱・伴奏重畳部４４ｅに送られ、歌唱・伴奏重畳部４４ｅは、この伴奏データ（ＡＤ）の伴奏波形と、音声合成信号処理部４４ｃから送られた音声（Ｖ）の波形とを加算・重畳し、楽曲（ＭＶ）を生成する（ステップＳ６５）。
生成された楽曲（ＭＶ）は完成楽曲蓄積部４９に送られ、完成楽曲蓄積部４９は、この楽曲（ＭＶ）を格納する（ステップＳ６６）。
【００３５】
＜ステップＳ５９の処理（構成情報変更入力処理）＞
次に、ステップＳ５９の処理を説明する。
図９の（ａ）は、このステップＳ５９の第１の例を説明するためのフローチャートである。
この例の場合、まず、歌手データベース管理部４７及び旋律・伴奏データベース管理部４８において、歌手データ記憶部４５及び旋律・伴奏データ記憶部４６から歌手・旋律・伴奏に関するリストを抽出し、これを表示部５３に送る。そして、表示部５３は、このリストを含むトップメニューを表示する（ステップＳ７１）。次に、入力部５４において、Ｄ１の入力（歌手選択入力）を受け付け（ステップＳ７２）、その入力後、Ｄ２の入力（旋律・伴奏入力）を受け付け（ステップＳ７３）、その入力後、Ｗの入力（歌詞入力）を受け付ける（ステップＳ７４）。
【００３６】
図９の（ｂ）は、ステップＳ５９の第２の例を説明するためのフローチャートである。
この例の場合、まず、表示部１３において上述の歌手・旋律・伴奏に関するリストを含むトップメニューを表示する（ステップＳ８１）。次に、入力部５４において、入力項目（「歌手」、「旋律・伴奏」或いは「歌詞」）の入力を受け付ける（ステップＳ８２）。ここで、「歌手」の項目が選択された場合には、入力部５４においてＤ１の入力を受け付け（ステップＳ８４）、「旋律・伴奏」の項目が選択された場合には、入力部５４においてＤ２の入力を受け付け（ステップＳ８５）、「歌詞」の項目が選択された場合には、入力部５４においてＷの入力を受け付ける（ステップＳ８６）。その後、制御部５５において、楽曲構成決定情報（Ｄ１、Ｄ２、Ｗ）の全ての項目の入力が終了したか否かを判断し（ステップＳ８７）、ここで全ての項目の入力が終了していないと判断された場合にはステップＳ８２に戻り、全ての項目の入力が終了したと判断された場合には処理を終了する。
【００３７】
＜データベース更新処理＞
次に、楽曲登録装置２０の歌手データ記憶部２１或いは旋律・伴奏データ記憶部２２に新規データが追加された場合のデータベース更新処理について説明する。
図１０は、このデータベース更新処理を説明するためのフローチャートである。
楽曲登録装置２０の歌手データ記憶部２１或いは旋律・伴奏データ記憶部２２に新規データが追加された場合、楽曲登録装置２０の制御部３２は、通信部２５から所定のデータが更新された旨の更新通知を、ネットワーク６０を通じ、商品販売装置４０に送信する（ステップＳ９１）。
【００３８】
この更新通知は、商品販売装置４０の通信部４３において受信され（ステップＳ９２）、制御部５５は、これに対する応答を、通信部４３からネットワーク６０を通じ、楽曲登録装置２０に送信する（ステップＳ９３）。
楽曲登録装置２０は、通信部２５においてこの応答を受信すると（ステップＳ９４）、データ読み出し部２６において、歌手データ記憶部２１或いは旋律・伴奏データ記憶部２２から更新データ（新規歌手データ、新規旋律・伴奏データ等）を抽出し、これを通信部２５から、ネットワーク６０を通じ、楽曲登録装置２０に送信する（ステップＳ９５）。
【００３９】
この更新データは、商品販売装置４０の通信部４３において受信され（ステップＳ９６）、歌手データベース管理部４７或いは旋律・伴奏データベース管理部４８に送られる。そして、歌手データベース管理部４７或いは旋律・伴奏データベース管理部４８は、この更新データを、歌手データ記憶部部４５或いは旋律・伴奏データ記憶部４６の利用可能な領域に転送する。
【００４０】
＜本形態の特徴＞
以上説明した通り、本形態では、携帯端末装置１０を用いて楽曲登録装置２０に楽曲の構成情報を登録しておく。そして、利用者は、商品購入時、登録された構成情報に対応するバーコード情報を携帯端末装置１０に表示させ、これを商品販売装置４０に読み込ませる。商品販売装置４０は、このバーコード情報をもとに楽曲登録装置２０に問い合わせ、登録されている楽曲の構成情報を復元し、これにより楽曲を生成する。そして、生成された楽曲は、楽曲記録媒体に格納され、商品に埋め込まれて排出される。この構成の場合、利用者は、商品に埋め込む楽曲の内容を自由に設定することができる。
【００４１】
また、本形態では、商品購入前に携帯端末装置１０を用いて楽曲の登録を行う。そのため、利用者は、商品購入時に、商品販売装置４０に対して直接楽曲選択を行う必要がない。これにより、利用者は自分の好きな時間に十分な時間をかけて好みの楽曲を構成しておくことが可能となる。さらに、事前に複数の楽曲を楽曲登録装置２０に登録しておき、商品購入時に埋め込む楽曲を選択するといったことも可能である。
また、本形態では、楽曲そのものではなく、楽曲の構成情報を楽曲登録装置２０に登録しておくこととした。そのため、利用者は、商品購入時に、楽曲の試聴等を行いながら、その構成情報を変更することも可能である。これにより、楽曲の構成間違いを容易に訂正することが可能となる。
【００４２】
〔第２の実施の形態〕
次に、本発明における第２の実施の形態について説明する。
＜概要＞
本形態は、第１の実施の形態の変形例であり、楽曲登録装置と商品販売装置がネットワークで接続されていない場合の構成例である。なお、以下では、第１の実施の形態との相違点を中心に説明し、第１の実施の形態と共通する事項については説明を省略する。また、以下のブロック図において第１の実施の形態と共通する部分については、第１の実施の形態と同じ符号を付している。
【００４３】
本形態では、利用者が携帯端末装置を用いて楽曲の構成を選択し、その決定情報を楽曲登録装置に登録する。楽曲登録装置は、この選択された楽曲の構成情報を生成し、この構成情報を特定する情報（例えば、バーコード情報）返し、携帯端末装置は、この構成情報を特定する情報を記憶する。そして、利用者が商品販売装置において商品を購入する際、この利用者は、携帯端末装置に記憶されている構成情報を特定する情報を商品販売装置に読み込ませ、商品販売装置はこの構成情報に対応する楽曲を生成する。生成された楽曲は記録媒体に記録され、商品に埋め込まれて排出される。
【００４４】
＜構成＞
まず、本形態における商品販売システムの構成を説明する。
図１１は、本形態における商品販売システム１００の全体構成を例示したブロック図である。この図に例示するように、本形態の商品販売システム１００は、利用者が使用する携帯端末装置１０、楽曲の登録処理を行う楽曲登録装置１２０及び商品販売装置１４０を有している。ただし、楽曲登録装置１２０と商品販売装置１４０は、ネットワーク６０を通じて接続されていない。
【００４５】
図１２は、図１１に例示した楽曲登録装置１２０の構成を例示したブロック図である。本形態の楽曲登録装置１２０は、公知のコンピュータに所定のプログラムを実行させることにより構成され、歌手データ記憶部２１、旋律・伴奏データ記憶部２２、通信部２５（「決定情報受信手段」及び「構成情報送信手段」に相当）、データ読み取り部２６、構成情報特定部２７、暗号化ＩＤ生成部１２９、バーコード生成部１３１、制御部１３２及び記録媒体書込み部１３３を有している。なお、これらの各構成は制御部３２の制御のもと各処理を実行する。
【００４６】
図１３は、図１１に例示した商品販売装置１４０の構成を例示したブロック図である。本形態の商品販売装置１４０は、公知のコンピュータに所定のプログラムを実行させることにより構成され、バーコード読み取り部１４１（「構成情報入力手段」に相当）、暗号化ＩＤチェック部１４２、データ解析部１５５、楽曲生成部４４、歌手データ記憶部４５、旋律・伴奏データ記憶部４６、記録媒体読み取り部１４７、完成楽曲蓄積部４９、楽曲書込み部５０、媒体排出部５１及び制御部５５を有している。ここで、楽曲生成部４４は、歌詞テキスト解析部４４ａ、素片選択部４４ｂ、音声合成信号処理部４４ｃ、伴奏選択部４４ｄ及び歌唱・伴奏重畳部４４ｅを有している。なお、これらの各構成は制御部５５の制御のもと各処理を実行する。
【００４７】
＜処理＞
次に、本形態における商品販売システム１００の処理について説明する。
＜前処理＞
第１の実施の形態で行った楽曲登録装置２０の通し番号記憶部２４にＮを記憶させる処理を行わない以外は、第１の実施の形態と同様である。
【００４８】
＜楽曲登録処理＞
次に、利用者が携帯端末装置１０を用い、楽曲登録装置１２０に楽曲を登録する楽曲登録処理について説明する。
図１４は、この携帯端末装置１０と楽曲登録装置１２０との間で行われる楽曲登録処理を説明するためのフローチャートである。以下、このフローチャートに沿って、本形態の楽曲登録処理について説明する。
まず、利用者は、携帯端末装置１０の入力部１４（図１の（ｂ））から、前述の楽曲登録処理請求を入力する。この楽曲登録処理請求は、通信部１１に送られ、通信部１１において、ネットワーク６０を通じ、この楽曲登録処理請求を楽曲登録装置１２０に送信される（ステップＳ１０１）。
【００４９】
楽曲登録装置１２０は、通信部２５においてこの楽曲登録処理請求を受信する。そして、楽曲登録装置１２０は、これをトリガとして、第１の実施の形態と同様、歌手・旋律・伴奏リスト（ＬＩＳＴ）を、ネットワーク６０を通じ、携帯端末装置１０に送信する（ステップＳ１０２）。
携帯端末装置１０は、第１の実施の形態と同様、通信部１１において、この歌手・旋律・伴奏リスト（ＬＩＳＴ）を受信し（ステップＳ１０３）、それを表示部１３に送り、表示部１３においてその内容を表示する。そして、利用者は、歌手データＩＤ（ＳＩＤ）を特定する情報（Ｄ１）、旋律・伴奏データＩＤ（ＭＩＤ）を特定するための情報（Ｄ２）、及びテキスト情報（Ｗ）を入力する（ステップＳ１０４）。このように入力された各情報（Ｄ１、Ｄ２、Ｗ）は、楽曲構成決定情報（Ｄ１、Ｄ２、Ｗ）として通信部１１に送られ、そこからネットワーク６０を通じ、楽曲登録装置１２０に送信される（ステップＳ１０５）。
【００５０】
ネットワーク６０を通じて送信された楽曲構成決定情報（Ｄ１、Ｄ２、Ｗ）は、楽曲登録装置２０の通信部２５（「決定情報受信手段」に相当）において受信され（ステップＳ６）、構成情報特定部２７に送られる。構成情報特定部２７は、第１の実施の形態と同様、受け取った楽曲構成決定情報（Ｄ１、Ｄ２、Ｗ）を用い、楽曲の構成要素を示す構成情報（ＳＩＤ、ＭＩＤ、Ｗ）を特定する（ステップＳ１０７）。
特定された構成情報（ＳＩＤ、ＭＩＤ、Ｗ）は、暗号化生成部１２９に送られ、暗号化ID生成部１２９は、この構成情報（ＳＩＤ、ＭＩＤ、Ｗ）に所定のチェックサムを追加し、さらに所定暗号アルゴリズムと暗号化鍵を用いて暗号化した暗号化ID（EID）を生成する（ステップＳ１０８）。
【００５１】
生成された暗号化ID（EID）は、バーコード生成部１３１に送られ、バーコード生成部１３１は、送られた暗号化ID（EID）に対応するバーコード情報（Ｂ：「構成情報を特定する情報」に相当）を生成する（ステップＳ１０９）。なお、本形態のバーコード情報（Ｂ）としては、例えば、ＱＲコード等の２次元バーコードを特定する情報を例示できる。
生成されたバーコード情報（Ｂ）は通信部２５（「構成情報送信手段」に相当）に送られ、通信部２５は、ネットワーク６０を通じ、このバーコード情報（Ｂ：「構成情報を特定する情報」に相当）を携帯端末装置１０に対して送信する（ステップＳ１１０）。
【００５２】
送信されたバーコード情報（Ｂ）は、携帯端末装置１０の通信部１１において受信され（ステップＳ１１１）、さらに読み書き部１２に送られてメモリ１５に格納される（ステップＳ１１２）。
その後、入力部１４からリトライ入力がされたか否かを制御部１６において判断し、ここでリトライ入力があった場合には、ステップＳ１０４の処理に戻る。一方、リトライ入力がなかった場合には処理を終了する。
【００５３】
＜商品販売処理＞
次に、利用者に商品を販売する際の商品販売処理について説明する。
図１５は、この商品販売処理を説明するためのフローチャートである。以下、このフローチャートに従い、本形態の商品販売処理を説明していく。
まず、第１の実施の形態と同様、利用者は、前述の携帯端末装置１０を携帯し、商品販売装置１４０の設置場所まで出向く。そして、携帯端末装置１０の読み書き部１２にメモリ１５からバーコード情報（Ｂ）を抽出させ（ステップＳ１２１）、これを表示部１３に表示させる（バーコード情報（Ｂ）の出力：ステップＳ１２２）。
携帯端末装置１０の表示部１３に表示されたバーコードは、商品販売装置１４０のバーコード読み取り部１４１（「構成情報入力手段」に相当）において読み込まれ、そのバーコード情報（Ｂ）が読み取られる（ステップＳ１２３）。すなわち、バーコード読み取り部１４１において、携帯端末装置１０から出力された構成情報を特定する情報の入力が受け付けられる。
【００５４】
入力されたバーコード情報（Ｂ）は、バーコード読み取り部１４１において暗号化ＩＤ（ＥＩＤ）に変換され、暗号化ＩＤチェック部１４２に送られる。暗号化ＩＤチェック部１４２は、この暗号化ＩＤ（ＥＩＤ）を復号し、そのチェックサムにより、その正当性を判断する（ステップＳ１２４）。ここで、暗号化ＩＤが正当でないと判断された場合にはエラー終了する。一方、正当であると判断された場合には、暗号化ＩＤ（ＥＩＤ）の復号結果Ｄｅｃ（ＥＩＤ）、すなわち構成情報（ＳＩＤ、ＭＩＤ、Ｗ）をデータ解析部１５５に送る（ステップＳ１２５）。
【００５５】
データ解析部１５５は、送られた構成情報（ＳＩＤ、ＭＩＤ、Ｗ）をアンパックして歌手データＩＤ（ＳＩＤ）、旋律・伴奏データＩＤ（ＭＩＤ）及びテキスト情報（Ｗ）を復元し（アンパックされた構成情報）、これらを楽曲生成部４４に送る。
楽曲生成部４４は、第１の実施の形態と同様な手順により、送られた構成情報を用い、楽曲（ＭＶ）を生成する（ステップＳ１２６）。
生成された楽曲（ＭＶ）は、完成楽曲蓄積部４９に格納され、さらに、楽曲書込み部５０において抽出されて楽曲記録媒体に格納される（ステップＳ１２７）。この楽曲が格納された楽曲記録媒体は媒体排出部５１に送られ、媒体排出部５１は、この楽曲記録媒体をぬいぐるみ等の商品に組み込み（ステップＳ１２８）、当該楽曲入り商品を排出する（ステップＳ１２９）。
【００５６】
＜データベース更新処理＞
本形態のデータベース更新処理は、ＣＤ−ＲＯＭ（Compact Disc Read Only Memory）等の記録媒体１７０を用いて行われる。すなわち楽曲登録装置１２０の歌手データ記憶部２１或いは旋律・伴奏データ記憶部２２に新たに追加された歌手データや旋律・伴奏データは、記録媒体１７０に記録され商品販売装置１４０の管理者に郵送等によって配布される。この記録媒体１７０を受け取った管理者は、この記録媒体１７０を商品販売装置１４０の記録媒体読み取り部１４７に読み込ませ、そこに格納されている新たな歌手データや旋律・伴奏データを用い、歌手データ記憶部４５或いは旋律・伴奏データ記憶部４６のデータを更新する。
【００５７】
＜本形態の特徴＞
以上説明した通り、本形態では、携帯端末装置１０を用いて楽曲登録装置１２０に楽曲の構成情報を登録しておく。そして、利用者は、商品購入時、登録した構成情報を示すバーコード情報を携帯端末装置１０に表示させ、これを商品販売装置１４０に読み込ませる。商品販売装置１４０は、このバーコード情報をもとに楽曲の構成情報を復元し、これにより楽曲を生成する。そして、生成された楽曲は、楽曲記録媒体に格納され、商品に埋め込まれて排出される。この構成の場合、利用者は、商品に埋め込む楽曲の内容を自由に設定することができる。
【００５８】
また、本形態では、商品購入前に携帯端末装置１０を用いて楽曲の登録を行う。そのため、利用者は、商品購入時に、商品販売装置１４０に対して直接楽曲選択を行う必要がない。これにより、利用者は自分の好きな時間に十分な時間をかけて好みの楽曲を構成しておくことが可能となる。さらに、事前に複数の楽曲を楽曲登録装置１２０に登録しておき、商品購入時に埋め込む楽曲を選択するといったことも可能である。
また、本形態では、楽曲そのものではなく、楽曲の構成情報を楽曲登録装置１２０に登録しておくこととした。そのため、第１の実施の形態と同様、商品販売装置１４０に楽曲出力部５２、入力部５４等を設けることにより、利用者は、商品購入時に、楽曲の試聴等を行いながら、その構成情報を変更することも可能である。これにより、楽曲の構成間違いを容易に訂正することが可能となる。
【００５９】
なお、この発明は上述の各実施の形態に限定されるものではない。例えば、上述の各実施の形態では、識別情報や構成情報を特定する情報としてバーコード情報を用いた。そして、このバーコード情報を携帯端末装置１０に格納し、携帯端末装置１０から商品販売装置４０、１４０にバーコード情報を読み込ませることにより、識別情報や構成情報を商品販売装置４０、１４０に入力することとした。しかし、識別情報や構成情報をメモリステック等の記録媒体に記録し、この記録媒体のデータを商品販売装置４０、１４０に読み込ませることにより、この識別情報や構成情報を商品販売装置４０、１４０に入力することとしてもよい。また、識別情報や構成情報に対応するＩＤを利用者に通知し、利用者がこのＩＤを商品販売装置４０、１４０に入力することにより、識別情報や構成情報を商品販売装置４０、１４０を入力する構成としてもよい。
【００６０】
その他、本発明の趣旨を逸脱しない範囲で適宜変更が可能であることはいうまでもない。また、上述の各種の処理は、記載に従って時系列に実行されるのみならず、処理を実行する装置の処理能力あるいは必要に応じて並列的にあるいは個別に実行されてもよい。
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００６１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよいが、具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００６２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００６３】
また、この形態では、コンピュータ上で所定のプログラムを実行させることにより、本装置を構成することとしたが、これらの処理内容の少なくとも一部をハードウェア的に実現することとしてもよい。
【図面の簡単な説明】
【００６４】
【図１】（ａ）は、第１の実施の形態における商品販売システムの全体構成を例示したブロック図。（ｂ）は、図１に例示した携帯端末装置の構成を例示したブロック図。
【図２】図１に例示した楽曲登録装置の構成を例示したブロック図。
【図３】図１に例示した商品販売装置の構成を例示したブロック図。
【図４】第１の実施の形態における楽曲登録処理を説明するためのフローチャート。
【図５】（ａ）は、図４のフローチャートにおけるステップＳ４の第１の例を説明するためのフローチャート。（ｂ）は、その第２の例を説明するためのフローチャート。
【図６】第１の実施の形態における商品販売処理を説明するためのフローチャート。
【図７】第１の実施の形態における商品販売処理を説明するためのフローチャート。
【図８】図６のフローチャートにおけるステップＳ５１の処理を説明するためのフローチャートである。
【図９】（ａ）は、図４のフローチャートにおけるステップＳ５９の第１の例を説明するためのフローチャート。（ｂ）は、その第２の例を説明するためのフローチャート。
【図１０】第１の実施の形態におけるデータベース更新処理を説明するためのフローチャート。
【図１１】第２の実施の形態における商品販売システムの全体構成を例示したブロック図
【図１２】図１１に例示した楽曲登録装置の構成を例示したブロック図。
【図１３】図１１に例示した商品販売装置の構成を例示したブロック図。
【図１４】第２の実施の形態における楽曲登録処理を説明するためのフローチャート。
【図１５】第２の実施の形態における商品販売処理を説明するためのフローチャート。
【符号の説明】
【００６５】
１,１００  商品販売システム
１０  携帯端末装置
２０,１２０  楽曲登録装置
４０,１４０  商品販売装置
【図１】
2005326929.tif 000003
【図２】
2005326929.tif 000004
【図３】
2005326929.tif 000005
【図４】
2005326929.tif 000006
【図５】
2005326929.tif 000007
【図６】
2005326929.tif 000008
【図７】
2005326929.tif 000009
【図８】
2005326929.tif 000010
【図９】
2005326929.tif 000011
【図１０】
2005326929.tif 000012
【図１１】
2005326929.tif 000013
【図１２】
2005326929.tif 000014
【図１３】
2005326929.tif 000015
【図１４】
2005326929.tif 000016
【図１５】
2005326929.tif 000017